(57)【要約】【課題】放熱器本体の下部への送風機の着脱を容易にして作業環境を改善し、ひいては工場および現地での組み立て工期の短縮、工数低減および工場での分解工数の低減、分解工期の短縮を可能にする。【解決手段】静止誘導電器は、本体タンク１に電器本体２および絶縁媒体を収納して構成される。放熱器本体は、本体タンク１に連通される上部共通配管５ａおよび下部共通配管５ｂに多数の放熱パネル６ｃを有する複数個の単位放熱器６を連結して構成され、本体タンク１とは別置きで支持架台７に支持されている。複数個の単位放熱器６の下部に配設される送風機８は、その複数個が一括して送風機取り付け支え９に着脱自在に取り付けられており、この送風機取り付け支え９が支持架台７に着脱自在に取り付けられることにより、送風機８の取り付けが行なわれる。【選択図】図１
2008103485.tif 000002
【特許請求の範囲】
【請求項１】
電器本体および絶縁媒体を収納した本体タンクに連通される上部共通配管および下部共通配管と、
上部ヘッダーおよび下部ヘッダーに多数の放熱パネルを接続して構成され、上部ヘッダーおよび下部ヘッダーが前記上部共通配管および下部共通配管にそれぞれ連通されて前記上部共通配管および下部共通配管の両側に配設された複数個の単位放熱器と、
前記上部共通配管および下部共通配管および複数個の単位放熱器を含む放熱器本体を前記本体タンクとは別置きで支持する支持架台と、
前記支持架台に着脱自在に取り付けられた送風機取り付け支えと、
この送風機取り付け支えに着脱自在に固定され、前記複数個の単位放熱器の下方に配置される複数個の送風機と、
を有することを特徴とする静止誘導電器の放熱器。
【請求項２】
前記送風機取り付け支えに、前記複数個の単位放熱器下部を覆う風導板を取り付けたことを特徴とする請求項１に記載の静止誘導電器の放熱器。
【請求項３】
前記放熱器本体における前記複数個の単位放熱器の側面近傍に、前記送風機取り付け支えを吊り下げて前記支持架台に着脱する作業に使用するワイヤーロープを通す空間を設けたことを特徴とする請求項１または２に記載の静止誘導電器の放熱器。
【請求項４】
電器本体および絶縁媒体を収納した本体タンクに連通される上部共通配管および下部共通配管と、
上部ヘッダーおよび下部ヘッダーに多数の放熱パネルを接続して構成され、上部ヘッダーおよび下部ヘッダーが前記上部共通配管および下部共通配管に連通された複数個の単位放熱器と、
前記単位放熱器の下部ヘッダーに取り付けられ、水平方向に延びるレール状の案内部を有する送風機取り付け支えと、
この送風機取り付け支えに、前記案内部を利用して着脱される送風機と、
を有することを特徴とする静止誘導電器の放熱器。
【請求項５】
電器本体および絶縁媒体を収納した本体タンクに連通される上部共通配管および下部共通配管と、
上部ヘッダーおよび下部ヘッダーに多数の放熱パネルを接続して構成され、上部ヘッダーおよび下部ヘッダーが前記上部共通配管および下部共通配管にそれぞれ連通されて前記上部共通配管および下部共通配管の両側に配設された複数個の単位放熱器と、
前記上部共通配管および下部共通配管および複数個の単位放熱器を含む放熱器本体を前記本体タンクとは別置きで支持する支持架台と、
を有する静止誘導電器の放熱器を組み立てる方法であって、
前記上部共通配管および下部共通配管および複数個の単位放熱器を支持架台に組み立てる第１の工程と、
前記第１の工程の後に、複数個の送風機を取り付けた送風機取り付け支えを、ワイヤーロープを介して吊り下げて、前記支持架台の前記複数個の単位放熱器の下方に取り付ける工程と、
を有することを特徴とする静止誘導電器の放熱器の組み立て方法。
【発明の詳細な説明】
【技術分野】
【０００１】
本発明は変圧器およびリアクトル等の静止誘導電器に係り、特に静止誘導電器内を循環する絶縁媒体を冷却するための放熱器およびその組み立て方法に関する。
【背景技術】
【０００２】
変圧器、リアクトル等の静止誘導電器は、本体タンク内に電器本体を収納して構成されている。電器本体は、鉄心およびコイルを備えており、運転時に熱を発生するので、そのままでは電器本体の温度が上昇して絶縁劣化を招き、ひいては故障に至るおそれがある。そこで、電器本体の運転時に発生する熱を放散させ、電器本体の内部の温度をある温度以下に保つために、本体タンク内に絶縁油または絶縁ガス等の絶縁媒体が熱交換媒体として充填されている。
【０００３】
また電器本体を絶縁冷却する絶縁媒体は、本体タンクの側方に設けた放熱器に導かれ、この放熱器で冷却されて再び本体タンク内に送り込まれて電器本体を冷却する循環を行なうようになっている。放熱器は、多数の放熱パネルを並置し、その上下部をそれぞれ上部ヘッダーおよび下部ヘッダーに接続して構成され、これら上部ヘッダーおよび下部ヘッダーを、それぞれ上部共通配管および下部共通配管を介して本体タンクに接続される。
【０００４】
ここで放熱面積を多く確保するために放熱パネル枚数が多くなる場合や本体タンクの構成上の事情により本体タンクの側方に直付けして設けることができない場合には、放熱器は、本体タンクとは別個に設置する別置型放熱器として構成される。
【０００５】
別置型放熱器は、たとえば特許文献１に記載されている。別置型放熱器は、多数の放熱パネルを有する放熱器本体を支持架台に取り付けて構成され、放熱器本体の下部には、送風機が配置される。送風機は、放熱器本体の側面に配置される場合もあるが、放熱器本体下部から上に向けて風を送る方が冷却効率を高くすることができるため、放熱器本体の下部に配置するのが一般的である。
【特許文献１】特開平１０−１４４５３１号公報（図２）
【発明の開示】
【発明が解決しようとする課題】
【０００６】
ところで上記のような従来の別置型放熱器においては、送風機は、放熱器本体の下部に設けられた送風機取り付け座にボルトにより取り付けられるために、放熱器本体が支持架台に設置された後でないと取り付け作業ができない。放熱器本体を設置した後に送風機を取り付ける場合、放熱器本体下の作業となり、放熱器本体が障害となり、クレーン等の重量物運搬装置が使用できない。このため、送風機を取り付ける作業者が数１０ｋｇもある送風機を人力で持ち上げて取り付けることになり、重量物の持ち上げという危険作業が伴うことになる。しかも放熱器本体下の空間は、高さも低く作業スペースも狭いため、作業性が非常に悪く、送風機の取り付け作業に多大な時間を要する問題があった。
【０００７】
また静止誘導電器は、多くの場合、放熱器本体および送風機を組み立て状態ではなく単体の状態で現地へ輸送し、現地で一旦組み立てて試験するために、試験完了後に送風機を放熱器本体から取り外す作業を行なうが、この際の送風機の取り外し作業における作業性が悪く、多大な時間を要してしまう問題があった。
【０００８】
一方、送風機を放熱器本体に先に取り付けておき、その状態で支持架台に取り付けることも考えられる。しかしながら、一般に放熱器本体は、上部共通配管および下部共通配管の両側にそれぞれ複数個の単位放熱器を並設し、並設された単位放熱器のうち隣合う２個の単位放熱器間の下部に送風機を１個または２個取り付ける構成を採用しており、送風機を単位放熱器にあらかじめ組み立てておくとなると２個の単位放熱器と組み合わせることになり、構造上、２個の単位放熱器を一緒に吊り上げて上部共通配管および下部共通配管に取り付けを行なうことが困難なため、上記のような送風機を２個の単位放熱器にあらかじめ組み立てる方法の採用は困難である。
【０００９】
本発明はかかる従来の事情に対処してなされたものであり、その目的は、放熱器本体の下部への送風機の着脱を容易にして作業環境を改善し、ひいては工場および現地での組み立て工期の短縮、工数低減および工場での分解工数の低減、分解工期の短縮を可能にする静止誘導電器の放熱器およびその組み立て方法を提供することにある。
【課題を解決するための手段】
【００１０】
上記の目的を達成するために、本発明に係る静止誘導電器の放熱器は、電器本体および絶縁媒体を収納した本体タンクに連通される上部共通配管および下部共通配管と、上部ヘッダーおよび下部ヘッダーに多数の放熱パネルを接続して構成され、上部ヘッダーおよび下部ヘッダーが前記上部共通配管および下部共通配管にそれぞれ連通されて前記上部共通配管および下部共通配管の両側に配設された複数個の単位放熱器と、前記上部共通配管および下部共通配管および複数個の単位放熱器を含む放熱器本体を前記本体タンクとは別置きで支持する支持架台と、前記支持架台に着脱自在に取り付けられた送風機取り付け支えと、この送風機取り付け支えに着脱自在に固定され、前記複数個の単位放熱器の下方に配置される複数個の送風機と、を有することを特徴とする。
【００１１】
また、本発明に係る静止誘導電器の放熱器は、電器本体および絶縁媒体を収納した本体タンクに連通される上部共通配管および下部共通配管と、上部ヘッダーおよび下部ヘッダーに多数の放熱パネルを接続して構成され、上部ヘッダーおよび下部ヘッダーが前記上部共通配管および下部共通配管に連通された複数個の単位放熱器と、前記単位放熱器の下部ヘッダーに取り付けられ、水平方向に延びるレール状の案内部を有する送風機取り付け支えと、この送風機取り付け支えに、前記案内部を利用して着脱される送風機と、を有することを特徴とする。
【００１２】
また、本発明に係る静止誘導電器の放熱器の組み立て方法は、電器本体および絶縁媒体を収納した本体タンクに連通される上部共通配管および下部共通配管と、上部ヘッダーおよび下部ヘッダーに多数の放熱パネルを接続して構成され、上部ヘッダーおよび下部ヘッダーが前記上部共通配管および下部共通配管にそれぞれ連通されて前記上部共通配管および下部共通配管の両側に配設された複数個の単位放熱器と、前記上部共通配管および下部共通配管および複数個の単位放熱器を含む放熱器本体を前記本体タンクとは別置きで支持する支持架台と、を有する静止誘導電器の放熱器を組み立てる方法であって、前記上部共通配管および下部共通配管および複数個の単位放熱器を支持架台に組み立てる第１の工程と、前記第１の工程の後に、複数個の送風機を取り付けた送風機取り付け支えを、ワイヤーロープを介して吊り下げて、前記支持架台の前記複数個の単位放熱器の下方に取り付ける工程と、を有することを特徴とする。
【発明の効果】
【００１３】
本発明によれば、送風機を単位放熱器の下部に取り付けるにあたっては、上部共通配管および下部共通配管および複数個の単位放熱器を支持架台に組み立てた後に、送風機を取り付けた送風機取り付け支えを支持架台に取り付けまたは取り外すことができる。これにより放熱器本体下部への送風機の着脱が容易になり、作業者自身による重量物の持ち上げという危険作業がなくなるとともに、狭い放熱器本体下での送風機の着脱作業性を向上することができる。これにより、工数低減と工期短縮を図ることができる。
【発明を実施するための最良の形態】
【００１４】
以下、本発明に係る静止誘導電器の放熱器およびその組み立て方法の実施の形態を図面に基づいて説明する。図１は本発明に係る静止誘導電器の放熱器における第１実施の形態を示す正面図である。図２は図１に示す放熱器の側面図である。
【００１５】
図１および図２において、変圧器、リアクトル等の静止誘導電器は、本体タンク１内に鉄心２ａおよびコイル２ｂを備えた電器本体２とともに絶縁油または絶縁ガス等の絶縁媒体を収納して構成されている。本体タンク１の上下部には、連結配管３ａ，３ｂの一端部が連通されており、連結配管３ａ，３ｂの他端部には、放熱器本体４の上部共通配管５ａおよび下部共通配管５ｂが連通されている。放熱器本体４は、上部共通配管５ａおよび下部共通配管５ｂに連通された複数個の単位放熱器６とともに支持架台７により支持されている。
【００１６】
単位放熱器６は、上部ヘッダー６ａおよび下部ヘッダー６ｂに多数の放熱パネル６ｃが連結されており、上部ヘッダー６ａおよび下部ヘッダー６ｂを介して、本体タンク１内の絶縁媒体が連結配管３ａ，３ｂおよび上部共通配管５ａおよび下部共通配管５ｂを介して各放熱パネル６ｃ内を通過するようになっている。上部共通配管５ａおよび下部共通配管５ｂの両側には、この単位放熱器６が複数個並設されており、それぞれの側における複数個の単位放熱器６間の下部には送風機８が配設されている。
【００１７】
送風機８は、その複数個が一対のアングル材からなる送風機取り付け支え９，９にボルト、ナット等の締結具により並設して吊り下げるように取り付けられており、各送風機８が上方に位置する複数個の単位放熱器６間に向けて送風するようになっている。複数個の送風機８を取り付けた送風機取り付け支え９，９は、支持架台７に設けられた断面Ｌ字状の取り付け座７ａ，７ａにボルト、ナット等の締結具により着脱自在に取り付けられ、工場または現地での組み立て、分解時に容易に着脱できるようになっている。
【００１８】
かかる構成の放熱器は、まず、支持架台７に上部共通配管５ａおよび下部共通配管５ｂを取り付け、これら上部共通配管５ａおよび下部共通配管５ｂに複数個の単位放熱器６を取り付ける。その後、別作業スペースにて複数個の送風機８を取り付けておいた送風機取り付け支え９，９を、ワイヤーロープを介してクレーン等により吊り下げたり、台車に載置したりして支持架台７に設けられた取り付け座７ａ，７ａに載せるように配設して締結具により取り付ける。
【００１９】
これにより復数個の送風機８を別作業スペースにて送風機取り付け支え９，９に取り付けておくことができるので、従来のように単位放熱器６下部での狭い作業スペースで作業者自身が送風機８を一個ずつ持ち上げて取り付ける作業がなくなり、作業環境が向上する。また複数個の送風機８を送風機取り付け支え９，９へ取り付ける作業は別作業スペースで行なえ、しかもその送風機取り付け支え９，９を支持架台７へ取り付けることにより複数個の送風機８を一括して取り付けることができることになり、組み立て工数の低減および組み立て工期の短縮が図れるようになる。
【００２０】
さらに工場にて一旦組み立てて試験した後、分解して現地へ輸送する場合において、複数個の送風機８と送風機取り付け支え９，９を一体にして運ぶことが可能となり、工場での分解工期の短縮、分解工数の低減も図れることになる。
【００２１】
次に本発明の第２実施の形態について説明する。図３は本発明に係る静止誘導電器の放熱器における第２実施の形態を示す正面図である。図４は図３に示す放熱器の側面図である。図３および図４において、本実施の形態が第１実施の形態と異なる点は、送風機取り付け支え９，９に、複数個の単位放熱器６下部を覆う風導板１０を取り付けたところにある。送風機取り付け支え９，９には、それぞれ外側の位置で複数個の単位放熱器６下部を覆うように板状の風導板１０，１０が取り付けられている。この風導板１０，１０は、高さ方向の中間部に取り付け座１０ａ，１０ａが形成されており、この取り付け座１０ａ，１０ａを送風機取り付け支え９，９に取り付けることにより、その下端部が送風機８の風吹き出し口よりも下方の位置まで延びるように配設されている。
【００２２】
したがって送風機８により発生した冷却風は、複数個の単位放熱器６の外部に抜けることなく、風導板１０，１０に案内されて複数個の単位放熱器６に供給されるため、送風機８で発生した冷却風を確実に複数個の単位放熱器６に送ることが可能となり、冷却効率を向上させることができる。
【００２３】
また風導板１０，１０は、送風機８の上面を隠しているため、送風機８の運転中に誤って送風機８の内部に手や指を突っ込んで怪我をすることがなくなる。通常、これらの事故を未然に防止するために、送風機８の風吹出し側に指突っ込み防止用網や単位放熱器６と送風機８の間から指を突っ込むことを防止する送風機保護板等を取り付けているが、これらを設ける必要がなくなり、送風機８の構造簡素化や部品点数の削減を図ることができる。
【００２４】
次に本発明の第３実施の形態について説明する。図５は本発明に係る静止誘導電器の放熱器における第３実施の形態を示す正面図である。図６は図５に示す放熱器の側面図である。図５および図６において、本実施の形態が第１実施の形態と異なる点は、放熱器本体４における複数個の単位放熱器６の近傍に、送風機取り付け支え９，９を吊り下げて支持架台７に着脱する作業に使用するワイヤーロープ１１を通す空間を設けたところにある。
【００２５】
単位放熱器６と支持架台７の間隔は、放熱器据付面積を低減するために狭く構成しており、その間にワイヤーロープ１１が挿入する間隔がないのが一般的である。本実施の形態においては、送風機取り付け支え９，９を吊り下げて支持架台７に着脱する作業に使用するワイヤーロープ１１を通す空間を、並置されている複数個の単位放熱器６の並置方向外側と支持架台７の間に設け、この空間を通して送風機取り付け支え９，９の釣り用ワイヤーロープ１１を配設できるようにしている。
【００２６】
これにより複数個の単位放熱器６を支持架台７に取り付けた後でも、ワイヤーロープ１１を介して送風機取り付け支え９，９を取り付けることができるため、複数個の単位放熱器６を先に支持架台７に取り付けた後に、静止誘導電器の本体タンク１内の真空引きを先に行ない、真空引きを行なっている最中に送風機取り付け支え９，９を支持架台７に取り付ける作業が可能になり、組み立て工期の短縮を図ることができる。
【００２７】
また現地で送風機８が故障し、取替えの必要が生じた場合にも、複数個の単位放熱器６を支持架台７から取り外すことなく、クレーンなどの重量物運搬装置を使って送風機取り付け支え９，９および送風機８の取り外しが可能となるので、作業者が送風機８を取り外して人力にて運搬する必要がなくなり、作業環境を改善することができる。
【００２８】
次に本発明の第４実施の形態について説明する。図７は本発明に係る静止誘導電器の放熱器における第４実施の形態を示す正面図である。図８（ａ）および（ｂ）は図７に示す放熱器の主要部を拡大して示す側面図および正面図である。図７および図８において、本実施の形態が第１実施の形態と異なる点は、別置型放熱器ではなく、本体タンク１に直付けされた放熱器を対象としたもので、この放熱器における単位放熱器６の下部ヘッダー６ｂに、水平方向に延びるレール状の案内部を有する送風機取り付け支え１３を設け、この送風機取り付け支え１３に、レール状の案内部を利用して送風機８を着脱するように構成したところにある。
【００２９】
本体タンク１には上下部の連結配管３ａ，３ｂを介して上部共通配管５ａおよび下部共通配管５ｂが連結され、この上部共通配管５ａおよび下部共通配管５ｂの片側に、多数の放熱パネルを接続して構成された複数個の単位放熱器６が、その上部ヘッダー６ａおよび下部ヘッダー６ｂを介して連通されている。これら複数個の単位放熱器６は、上部共通配管５ａおよび下部共通配管５ｂおよび連結配管３ａ，３ｂに支持されており、放熱器本体を支持する支持架台は設けられていない。
【００３０】
各単位放熱器６の下部ヘッダー６ｂにはＵ形ボルト１２が掛けられており、隣合う単位放熱器６のＵ形ボルト１２に送風機取り付け支え１３が取り付けられ、この送風機取り付け支え１３に送風機８が着脱自在に取り付けられる構成となっている。送風機取り付け支え１３は、断面Ｌ字形のレール状をなしており、その水平部が案内部となって送風機８を水平方向に沿って滑らせるようにして取り付け、取り外しができるようになっている。
【００３１】
したがって送風機取り付け支え１３を取り付ける支持架台がない場合において、単位放熱器６の下部に放熱器取り付け支え１３を取り付けることができ、また単位放熱器６の下部ヘッダー６ｂにＵ形ボルト１２を取り付ける方式のため、単位放熱器６自身に送風機８を取り付けるための座や送風機取り付け支え１３を固定する座や支えが不要となり、部品点数の削減を図ることができる。
【００３２】
なお、本実施の形態では、単位放熱器６を取り付けた後でないと、送風機取り付け支え１３および送風機８が取り付けられない構造であり、作業者が従来のように送風機８を持ち上げる作業が必要であるが、送風機８の送風機取り付け支え１３の取り付け部は、断面Ｌ字形をなし、その水平部がレール状の案内部として構成されているので、送風機８は、従来のように下から持ち上げて取り付けるのではなく、横からレール状の案内部を利用して水平方向に沿って滑らせて取り付けることができる。このため、放熱器本体の下部に作業者が潜り込んで下から取り付ける作業がないので、作業性が大幅に向上し、工数低減、工期短縮を図ることができる。
【図面の簡単な説明】
【００３３】
【図１】本発明に係る静止誘導電器の放熱器における第１実施の形態を示す正面図である。
【図２】図１に示す放熱器の側面図である。
【図３】本発明に係る静止誘導電器の放熱器における第２実施の形態を示す正面図である。
【図４】図３に示す放熱器の側面図である。
【図５】本発明に係る静止誘導電器の放熱器における第３実施の形態を示す正面図である。
【図６】図５に示す放熱器の側面図である。
【図７】本発明に係る静止誘導電器の放熱器における第４実施の形態を示す正面図である。
【図８】図７に示す放熱器の主要部を拡大して示す図であって、（ａ）は側面図、（ｂ）は正面図である。
【符号の説明】
【００３４】
１…本体タンク
２…電器本体
２ａ…鉄心
２ｂ…コイル
３ａ，３ｂ…連結配管
４…放熱器本体
５ａ…上部共通配管
５ｂ…下部共通配管
６…単位放熱器
６ａ…上部ヘッダー
６ｂ…下部ヘッダー
６ｃ…放熱パネル
７…支持架台
７ａ…取り付け座
８…送風機
９…送風機取り付け支え
１０…風導板
１０ａ…取り付け座
１１…ワイヤーロープ
１２…Ｕ形ボルト
１３…送風機取り付け支え
【図１】
2008103485.tif 000003
【図２】
2008103485.tif 000004
【図３】
2008103485.tif 000005
【図４】
2008103485.tif 000006
【図５】
2008103485.tif 000007
【図６】
2008103485.tif 000008
【図７】
2008103485.tif 000009
【図８】
2008103485.tif 000010